(57)【要約】【課題】多数のユーザーが多数の端末を短時間で効率よくケース本体から取り出したり、ケース本体へ収納したりすることができる移動式端末保管庫を提供する。【解決手段】移動式端末保管庫１００は、複数の端末を収納自在なケース本体１００Ａとキャスター１００Ｂとを備えている。ケース本体１００Ａの外形が、直方体状に形成されている。ケース本体１００Ａが、ケース本体１００Ａの内部に設けられた端末載置部１１０と、側面部１２０と、天面部１３０と、開閉自在な第１扉部１５０と、開閉自在な第２扉部１６０とを備えている。第１扉部１５０および第２扉部１６０が、閉じた状態において、互いに対向する位置関係に配置されている。【選択図】図１
0003233787.tif 000002
【実用新案登録請求の範囲】
【請求項１】
複数の端末を収納自在なケース本体とキャスターとを備えた移動式端末保管庫であって、
前記ケース本体の外形が、直方体状に形成されて、
前記ケース本体が、ケース本体の内部に設けられた端末載置部と、側面部と、天面部と、開閉自在な第１扉部と、開閉自在な第２扉部とを備え、
前記第１扉部および第２扉部が、閉じた状態において、互いに対向する位置関係に配置された構成であることを特徴とする移動式端末保管庫。
【請求項２】
前記直方体状のケース本体の角に軟性部材が、取り付けられた構成であることを特徴とする請求項１に記載の移動式端末保管庫。
【請求項３】
前記第１扉部および第２扉部が、前記ケース本体に対して閉じた状態でフック状係合部材を被係合部分と係合して閉じた状態を保持するロック機構と、
係合していないときのフック状係合部材を覆うカバー部分とを有していることを特徴とする請求項１または請求項２に記載の移動式端末保管庫。
【請求項４】
前記天面部を形成する天面部材と、
前記側面部を形成する中空の側面部材とを備え、
前記天面部材と１つの側面部材との接合において、側面部材における第１接触面部分が、天面部材の第２接触面部分と面接触するとともに係止部材によって係止され、
前記側面部材における第３接触面部分が、天面部材の第４接触面部分と面接触するとともに係止部材によって係止され、
高さ方向における位置関係において、第１接触面部分および第２接触面部分の位置が、第３接触面部分および第４接触面部分の位置より高く、
前記第１接触面部分が、中空の側面部材の内側面部分から延設されて形成され、
前記第３接触面部分が、中空の側面部材の外側面部分から延設されて形成されていることを特徴とする請求項１乃至請求項３のいずれか１つに記載の移動式端末保管庫。
【請求項５】
前記端末載置部が、高さ方向において複数設けられ、
前記側面部の外側における最上位の端末載置部より下側の位置に持ち運び用把手が設けられていることを特徴とする請求項１乃至請求項４のいずれか１つに記載の移動式端末保管庫。
【請求項６】
前記端末載置部が、第１扉部と第２扉部との対向方向および鉛直方向に延設された複数の仕切り板を有し、
前記仕切り板が、仕切り板の縁から中央側へ凹んで形成されて、前記端末と接続される電線コードを挿通自在な凹みを複数有していることを特徴とする請求項１乃至請求項５のいずれか１つに記載の移動式端末保管庫。
【考案の詳細な説明】
【技術分野】
【０００１】
本考案は、複数の端末を収納自在なケース本体とキャスターとを備えた移動式端末保管庫に関する。
【背景技術】
【０００２】
従来、複数の情報端末を充電する充電キャビネットである充電保管庫が知られている（例えば、特許文献１）。
【先行技術文献】
【特許文献】
【０００３】
【特許文献１】特開２０２０−１３０９８１号公報
【考案の概要】
【考案が解決しようとする課題】
【０００４】
しかしながら、上述した従来の充電保管庫は、情報端末を出し入れする側がキャビネットの一の面に限られる構成であったため、複数（特に多数）の端末を出し入れする際、例えば、学校の授業において多数の生徒が短時間で効率よく端末を出し入れすることが困難であるという問題があった。
【０００５】
そこで、本考案は、前述したような従来技術の問題を解決するものであって、すなわち、本考案の目的は、多数のユーザーが多数の端末を短時間で効率よくケース本体から取り出したり、ケース本体へ収納したりすることができる移動式端末保管庫を提供することである。
【課題を解決するための手段】
【０００６】
本請求項１に係る考案は、複数の端末を収納自在なケース本体とキャスターとを備えた移動式端末保管庫であって、前記ケース本体の外形が、直方体状に形成されて、前記ケース本体が、ケース本体の内部に設けられた端末載置部と、側面部と、天面部と、開閉自在な第１扉部と、開閉自在な第２扉部とを備え、前記第１扉部および第２扉部が、閉じた状態において、互いに対向する位置関係に配置された構成であることにより、前述した課題を解決するものである。
【０００７】
本請求項２に係る考案は、請求項１に記載された移動式端末保管庫の構成に加えて、前記直方体状のケース本体の角に軟性部材が、取り付けられた構成であることにより、前述した課題をさらに解決するものである。
【０００８】
本請求項３に係る考案は、請求項１または請求項２に記載された移動式端末保管庫の構成に加えて、前記第１扉部および第２扉部が、前記ケース本体に対して閉じた状態でフック状係合部材を被係合部分と係合して閉じた状態を保持するロック機構と、係合していないときのフック状係合部材を覆うカバー部分とを有していることにより、前述した課題をさらに解決するものである。
【０００９】
本請求項４に係る考案は、請求項１乃至請求項３のいずれか１つに記載された移動式端末保管庫の構成に加えて、前記天面部を形成する天面部材と、前記側面部を形成する中空の側面部材とを備え、前記天面部材と１つの側面部材との接合において、側面部材における第１接触面部分が、天面部材の第２接触面部分と面接触するとともに係止部材によって係止され、前記側面部材における第３接触面部分が、天面部材の第４接触面部分と面接触するとともに係止部材によって係止され、高さ方向における位置関係において、第１接触面部分および第２接触面部分の位置が、第３接触面部分および第４接触面部分の位置より高く、前記第１接触面部分が、中空の側面部材の内側面部分から延設されて形成され、前記第３接触面部分が、中空の側面部材の外側面部分から延設されて形成されていることにより、前述した課題をさらに解決するものである。
【００１０】
本請求項５に係る考案は、請求項１乃至請求項４のいずれか１つに記載された移動式端末保管庫の構成に加えて、前記端末載置部が、高さ方向において複数設けられ、前記側面部の外側における最上位の端末載置部より下側の位置に持ち運び用把手が設けられていることにより、前述した課題をさらに解決するものである。
【００１１】
本請求項６に係る考案は、請求項１乃至請求項５のいずれか１つに記載された移動式端末保管庫の構成に加えて、前記端末載置部が、第１扉部と第２扉部との対向方向および鉛直方向に延設された複数の仕切り板を有し、前記仕切り板が、仕切り板の縁から中央側へ凹んで形成されて、前記端末と接続される電線コードを挿通自在な凹みを複数有していることにより、前述した課題をさらに解決するものである。
【考案の効果】
【００１２】
本考案の移動式端末保管庫は、ケース本体とキャスターとを備えていることにより、ケース本体に複数の端末を収納することができるばかりでなく、以下のような特有の効果を奏することができる。
【００１３】
本請求項１に係る考案の移動式端末保管庫によれば、第１扉部および第２扉部の位置関係が所謂、裏表の関係となり両側から端末をケース本体に対して出し入れ自在となるため、扉が一方側のみに設けられた構成と比べて、多数のユーザーがケース本体の両側へ分かれて両側から多数の端末を短時間で効率よくケース本体から取り出したり、ケース本体へ収納したりすることができる。
さらに、多数のユーザーがケース本体の第１扉部側および第２扉部側の両側に分散して端末の出し入れが行われて、扉が一方側のみに設けられた構成と比べて、ユーザーの密度が低くなるため、ユーザーのウイルス感染拡大のリスクを低減することができる。
【００１４】
本請求項２に係る考案の移動式端末保管庫によれば、請求項１に係る考案が奏する効果に加えて、軟性部材が直方体状のケース本体の角に取り付けられてケース本体の天面部や底面部の角が覆われるため、ユーザーが接触した場合であってもユーザーが怪我するリスクを回避することができる。
【００１５】
本請求項３に係る考案の移動式端末保管庫によれば、請求項１または請求項２に係る考案が奏する効果に加えて、第１扉部および第２扉部を開いた状態では、フック状係合部材がカバー部分に覆われているため、ユーザーがフック状係合部材に触れて怪我してしまうリスクを回避することができる。
さらに、第１扉部および第２扉部をロックしていないときは、第１扉部および第２扉部の開閉状態に関わらずフック状係合部材がカバー部分に覆われているため、端末や端末に接続する充電用ケーブルコードなどがフック状係合部材と接触して傷ついてしまうリスクを回避することができる。
【００１６】
本請求項４に係る考案の移動式端末保管庫によれば、請求項１乃至請求項３のいずれか１つに係る考案が奏する効果に加えて、高さ方向における異なる位置で面接触して係止されるため、ケース本体が両面開きのために所謂、固定背面がなく歪みが生じやすい構造であっても天面部材と１つの側面部材との角の接合において剛性を高めてケース本体の全体としての剛性を十分に高めることができる。
さらに、側面部材における内側と天面部材における外側とが面接触するとともに、側面部材における外側と天面部材における内側とが面接触する関係となり所謂、リジッドな構造となるため、天面部材と１つの側面部材との角の接合において剛性を高めてケース本体の全体としての剛性を十分に高めることができる。
また、側面部材が中空であり内部に電線ケーブルを挿通自在となるため、ケース本体の内部に充電用の設備を簡単に配置することができる。
【００１７】
本請求項５に係る考案の移動式端末保管庫によれば、請求項１乃至請求項４のいずれか１つに係る考案が奏する効果に加えて、持ち運び時にユーザーによって外力が加えられる位置がケース本体の上端ではなくて持ち運び用把手が位置する高さ方向におけるある程度中央またはさらに下側になるため、ケース本体に対して歪みの原因となるように力が作用することを回避することができる。
さらに、持ち運び時にケース本体の上端ではなくて高さ方向におけるある程度中央または下側を押したり引いたりする力が作用するため、ケース本体が転倒してしまうリスクを回避してケース本体を安全に移動させることができる。
また、キャスターが小さな段差を乗り越える際に持ち運び用把手に上方への力を作用させやすいため、キャスターに小さな段差を乗り越えさせることができ、キャスターが小さな段差に引っかかってケース本体が転倒してしまうことを回避することができる。
【００１８】
本請求項６に係る考案の移動式端末保管庫によれば、請求項１乃至請求項５のいずれか１つに係る考案が奏する効果に加えて、電線コードが連続した「Ｓ」字状で保持されるため、ケース本体の内部で充電用の電線コードをきれいに整頓することができる。
【図面の簡単な説明】
【００１９】
【図１】（Ａ）（Ｂ）は本考案の実施例である移動式端末保管庫の第１扉部および第２扉部が閉じた状態を示す斜視図、第１扉部および第２扉部が開いた状態を示す斜視図。
【図２】（Ａ）（Ｂ）は本考案の実施例である移動式端末保管庫の第１扉部および第２扉部が閉じた状態を示す正面図、第１扉部および第２扉部が開いた状態を示す正面図。
【図３】（Ａ）（Ｂ）は本考案の実施例である移動式端末保管庫の第１扉部および第２扉部が閉じた状態を示す側面透視図、第１扉部および第２扉部が開いた状態を示す側面透視図。
【図４】図１（Ｂ）に示す符号４が指す範囲の拡大図。
【図５】（Ａ）（Ｂ）は本考案の実施例である移動式端末保管庫の天面部と側面部との接合の概念を示す断面図。
【図６】（Ａ）（Ｂ）は本考案の実施例である移動式端末保管庫の仕切り板を示す図。
【図７】（Ａ）（Ｂ）は本考案の他の実施例である移動式端末保管庫の第１扉部および第２扉部が開いた状態を示す斜視図、第１扉部および第２扉部が開いた状態を示す正面図。
【考案を実施するための形態】
【００２０】
本考案の移動式端末保管庫は、複数の端末を収納自在なケース本体とキャスターとを備え、ケース本体の外形が、直方体状に形成されて、ケース本体が、ケース本体の内部に設けられた端末載置部と、側面部と、天面部と、開閉自在な第１扉部と、開閉自在な第２扉部とを備え、第１扉部および第２扉部が、閉じた状態において、互いに対向する位置関係に配置された構成であることにより、扉が一方側のみに設けられた構成と比べて、多数のユーザーがケース本体の両側へ分かれて両側から多数の端末を短時間で効率よくケース本体から取り出したり、ケース本体へ収納したりすることができるものであれば、その具体的な実施態様は、如何なるものであっても構わない。
【００２１】
例えば、端末載置部における端末の収納姿勢は、横向きに立てた姿勢や所謂、平置き姿勢などどのような姿勢であってもよい。
また、移動式端末保管庫は、内部に端末充電用充電器を内蔵して移動式端末保管庫に収納した端末が充電自在な構成でもよいし、単に内部に複数の端末を収納する構成でもよい。
さらに、移動式端末保管庫の内部に収納される端末は、スマートフォン端末、タブレット端末、ノート型コンピュータ端末などコンピュータ端末であれば如何なるものであってもよい。
また、ケース本体の外形の形状について、「直方体状」とは、直方体のような形状をいう。
つまり、底面がなくてもよいし、辺と辺とが交わる角が丸く形成されていてもよいし、辺自体の角が丸く形成されていてもよい。
さらに、第１扉部および第２扉部は、開閉自在であればよく、揺動による開閉、スライドによる開閉など如何なるものであってもよい。
また、第１扉部および第２扉部の位置関係について、「互いに対向する位置関係」は、扉部の全部が対向関係である構成でもよいし、少なくとも一部が対向関係である構成でもよい。
【実施例】
【００２２】
以下に、本考案の実施例である移動式端末保管庫１００について、図１（Ａ）乃至図７（Ｂ）に基づいて説明する。
ここで、図１（Ａ）は、本考案の実施例である移動式端末保管庫１００の第１扉部１５０および第２扉部１６０が閉じた状態を示す斜視図であり、図１（Ｂ）は、本考案の実施例である移動式端末保管庫１００の第１扉部１５０および第２扉部１６０が開いた状態を示す斜視図であり、図２（Ａ）は、図１（Ａ）に示す符号２Ａから視た移動式端末保管庫１００の第１扉部１５０および第２扉部１６０が閉じた状態を示す正面図であり、図２（Ｂ）は、図１（Ｂ）に示す符号２Ｂから視た移動式端末保管庫１００の第１扉部１５０および第２扉部１６０が開いた状態を示す正面図であり、図３（Ａ）は、図１（Ａ）に示す符号３Ａから視た移動式端末保管庫１００の第１扉部１５０および第２扉部１６０が閉じた状態を示す側面透視図であり、図３（Ｂ）は、図１（Ｂ）に示す符号３Ｂから視た移動式端末保管庫１００の第１扉部１５０および第２扉部１６０が開いた状態を示す側面透視図であり、図４は、図１（Ｂ）に示す符号４が指す範囲の拡大図であり、図５（Ａ）は、図１（Ａ）に示す符号５Ａの箇所の移動式端末保管庫１００の天面部１３０と側面部１２０との接合の概念を示す断面図であり、図５（Ｂ）は、図１（Ａ）に示す符号５Ｂの箇所の移動式端末保管庫１００の天面部１３０と側面部１２０との接合の概念を示す断面図であり、図６（Ａ）は、本考案の実施例である移動式端末保管庫１００の仕切り板１１１を示す図であり、図６（Ｂ）は、仕切り板１１１の凹み１１２に充電用コードを挿通した様子を示す図であり、図７（Ａ）は、本考案の他の実施例である移動式端末保管庫１００の第１扉部１５０および第２扉部１６０が開いた状態を示す斜視図であり、図７（Ｂ）は、図７（Ａ）に示す符号７Ｂから視た他の実施例である移動式端末保管庫１００の第１扉部１５０および第２扉部１６０が開いた状態を示す正面図である。
なお、本実施例の移動式端末保管庫１００には、正面・背面の概念はないが、第１扉部１５０側から視たものを便宜上、正面として説明する。
【００２３】
本考案の実施例である移動式端末保管庫１００は、図１（Ａ）乃至図３（Ｂ）に示すように、複数の端末を収納自在なケース本体１００Ａと、キャスター１００Ｂとを備えている。
より具体的には、ケース本体１００Ａの外形が、直方体状に形成されている。
また、ケース本体１００Ａが、ケース本体１００Ａの内部に設けられた端末載置部１１０と、側面部１２０と、天面部１３０と、一例としての底面部１４０と、一例として揺動によって開閉自在な第１扉部１５０と、同じく一例として揺動によって開閉自在な第２扉部１６０とを備えている。
さらに、第１扉部１５０および第２扉部１６０が、閉じた状態において、互いに対向する位置関係に配置されるように構成されている。
これにより、第１扉部１５０および第２扉部１６０の位置関係が所謂、裏表の関係となり両側から端末をケース本体１００Ａに対して出し入れ自在となる。
その結果、扉が一方側のみに設けられた構成と比べて、多数のユーザーがケース本体１００Ａの両側へ分かれて両側から多数の端末を短時間で効率よくケース本体１００Ａから取り出したり、ケース本体１００Ａへ収納したりすることができる。
【００２４】
さらに、多数のユーザーがケース本体１００Ａの第１扉部１５０側および第２扉部１６０側の両側に分散して端末の出し入れが行われて、扉が一方側のみに設けられた構成と比べて、ユーザーの密度が低くなる。
その結果、ユーザーのウイルス感染拡大のリスクを低減することができる。
例えば、学校で行われるコンピュータ実習の授業中に、ユーザーである生徒達が移動式端末保管庫１００からタブレット端末ＴＢを取り出す際や、移動式端末保管庫１００にタブレット端末ＴＢを戻す際、短時間で効率よく出し入れすることができる。
また、その際に生徒達が移動式端末保管庫１００の周りに集まるが、その際のウイルス感染のリスクを低減することができる。
【００２５】
なお、ケース本体１００Ａの側面部１２０、第１扉部１５０および第２扉部１６０には、収納されたタブレット端末ＴＢの放熱性を高めるために孔やスリットの一例としてのスリットが多数設けられている。
スリットは、ユーザーの手の指が入って怪我をしないように、指が入らない程度の一例として５ｍｍ幅で形成されている。
また、第１扉部１５０および第２扉部１６０のそれぞれの揺動の基端側および自由端側については、揺動軸が取り外し自在に設けられているため、向かって左側を基端側にしたり、右側を基端側にしたり自由に決めることができるように設けられている。
本実施例では、底面部１４０を設けたが、必須ではない。
【００２６】
さらに、本実施例では、直方体状のケース本体１００Ａの角に軟性部材１７０が、取り付けられた構成である。
これにより、軟性部材１７０が直方体状のケース本体１００Ａの角に取り付けられてケース本体１００Ａの天面部１３０や底面部１４０の角が覆われる。
その結果、ユーザーが接触した場合であってもユーザーが怪我するリスクを回避することができる。
【００２７】
また、本実施例では、図１（Ｂ）および図４に示すように、第１扉部１５０および第２扉部１６０が、ケース本体１００Ａに対して閉じた状態を保持するロック機構１５１を有している。
なお、第１扉部１５０のロック機構１５１のみを図示したが、第２扉部１６０についても第１扉部１５０と同様であるので、第２扉部１６０についてのその詳しい説明および図示は省略する。
ロック機構１５１は、第１扉部１５０および第２扉部１６０のそれぞれの外側から差し込まれたカギをひねるとカギと一体に回転するフック状係合部材１５２を備えている。
第１扉部１５０および第２扉部１６０が閉じた状態で、フック状係合部材１５２が回転すると、フック状係合部材１５２は、被係合部分の一例として側面部１２０の凹部１２１と係合される。
【００２８】
すると、第１扉部１５０および第２扉部１６０の閉じた状態がそれぞれ保持される。
さらに、第１扉部１５０および第２扉部１６０は、係合していないときのフック状係合部材１５２を覆うカバー部分１５３を有している。
これにより、第１扉部１５０および第２扉部１６０を開いた状態では、フック状係合部材１５２がカバー部分１５３に覆われている。
その結果、ユーザーがフック状係合部材１５２に触れて怪我してしまうリスクを回避することができる。
【００２９】
さらに、第１扉部１５０および第２扉部１６０をロックしていないときは、第１扉部１５０および第２扉部１６０の開閉状態に関わらずフック状係合部材１５２がカバー部分１５３に覆われている。
その結果、端末や端末に接続する電線コードである充電用ケーブルコードＣＢなどがフック状係合部材１５２と接触して傷ついてしまうリスクを回避することができる。
なお、被係合部分の一例として側面部１２０の凹部１２１を挙げて説明したが、被係合部分の位置は天面部１３０や底面部１４０でもよいのは勿論である。
【００３０】
さらに、本実施例では、図１（Ａ）、図５（Ａ）および図５（Ｂ）に示すように、ケース本体１００Ａが、天面部１３０を形成する天面部材１３１と、側面部１２０を形成する中空の側面部材１２２とを備えている。
天面部材１３１と１つの側面部材１２２との接合において、側面部材１２２における第１接触面部分１２５が、天面部材１３１の第２接触面部分１３２と面接触するとともに係止部材の一例であるリベット１８０によって係止されている。
また、側面部材１２２における第３接触面部分１２６が、天面部材１３１の第４接触面部分１３３と面接触するとともに係止部材の一例であるリベット１８０によって係止されている。
【００３１】
高さ方向Ｈにおける位置関係において、第１接触面部分１２５および第２接触面部分１３２の位置が、第３接触面部分１２６および第４接触面部分１３３の位置より高くなるように設けられている。
そして、第１接触面部分１２５が、中空の側面部材１２２の内側面部分１２３から延設されて形成されている。
これと同様に、第３接触面部分１２６が、中空の側面部材１２２の外側面部分１２４から延設されて形成されている。
これにより、高さ方向Ｈにおける異なる位置で面接触して係止される。
その結果、ケース本体１００Ａが両面開きのために所謂、固定背面がなく歪みが生じやすい構造であっても天面部材１３１と１つの側面部材１２２との角の接合において剛性を高めてケース本体１００Ａの全体としての剛性を十分に高めることができる。
【００３２】
さらに、側面部材１２２における内側と天面部材１３１における外側とが面接触するとともに、側面部材１２２における外側と天面部材１３１における内側とが面接触する関係となり所謂、リジッドな構造となる。
その結果、天面部材１３１と１つの側面部材１２２との角の接合において剛性を高めてケース本体１００Ａの全体としての剛性を十分に高めることができる。
また、側面部材１２２が中空であり内部に電線ケーブルを挿通自在となる。
その結果、ケース本体１００Ａの内部に充電用の設備を簡単に配置することができる。
なお、係止部材の一例であるリベット１８０を用いたが、その他として例えば、ネジとナットとの組み合わせなどによって係止されてもよい。
【００３３】
また、本実施例では、図１（Ｂ）、図２（Ｂ）〜図３（Ｂ）に示すように、端末載置部１１０が、高さ方向Ｈにおいて複数設けられている。
そして、  図２（Ａ）〜図３（Ｂ）に示すように、側面部１２０の外側における最上位の端末載置部１１０より下側の位置に持ち運び用把手１９０が設けられている。
これにより、持ち運び時にユーザーによって外力が加えられる位置がケース本体１００Ａの上端ではなくて持ち運び用把手１９０が位置する高さ方向Ｈにおけるある程度中央またはさらに下側になる。
その結果、ケース本体１００Ａに対して歪みの原因となるように力が作用することを回避することができる。
【００３４】
さらに、持ち運び時にケース本体１００Ａの上端ではなくて高さ方向Ｈにおけるある程度中央または下側を押したり引いたりする力が作用する。
その結果、ケース本体１００Ａが転倒してしまうリスクを回避してケース本体１００Ａを安全に移動させることができる。
また、キャスター１００Ｂが小さな段差を乗り越える際に持ち運び用把手１９０に上方への力を作用させやすい。
その結果、キャスター１００Ｂに小さな段差を乗り越えさせることができ、キャスター１００Ｂが小さな段差に引っかかってケース本体１００Ａが転倒してしまうことを回避することができる。
【００３５】
さらに、本実施例では、図１（Ｂ）および図２（Ｂ）に示すように、端末載置部１１０が、第１扉部１５０と第２扉部１６０との対向方向および鉛直方向に延設された複数の仕切り板１１１を有している。
そして、図６（Ａ）に示すように、仕切り板１１１が、仕切り板１１１の縁から中央側へ凹んで形成されて、端末と接続される電線コードである充電用ケーブルコードＣＢを挿通自在な凹み１１２を複数有している。
これにより、図６（Ｂ）に示すように、充電用ケーブルコードＣＢが連続した「Ｓ」字状で保持される。
その結果、ケース本体１００Ａの内部で充電用ケーブルコードＣＢをきれいに整頓することができる。
【００３６】
なお、仕切り板１１１の下端には、突部１１３が設けられている。
この突部１１３を端末載置部１１０の載置面に形成された穴に挿入して仕切り板１１１を第１扉部１５０と第２扉部１６０との対向方向にスライドすると、仕切り板１１１が端末載置部１１０の載置面に対して固定されるように設けられている。
端末載置部１１０の載置面の下に電源コンセントタップが設置され、１つの段に収納されるタブレット端末ＴＢの数に対応する複数の充電器アダプターが電源コンセントタップに接続されている。
そして、充電器アダプターの充電用ケーブルコードＣＢが、端末載置部１１０の載置面の下から載置面の端に設けられた複数の穴を介してそれぞれ上方へ出るように設けられている。
【００３７】
なお、本実施例では、端末載置部１１０が、複数の仕切り板１１１を有している例について説明したが、これに限らない。
例えば、図７（Ａ）および図７（Ｂ）に示すように、複数のタブレット端末ＴＢが収納自在な持ち運び用バッグＢＧが、端末載置部１１０の載置面に載置されるような構成でもよい。
例えば、学校の授業において、ユーザー４〜６名でグループを構成する場合、教師がグループ毎にタブレット端末ＴＢを収納した持ち運び用バッグＢＧを配ってもよいし、各グループの代表者が、タブレット端末ＴＢを収納した持ち運び用バッグＢＧを取りに移動式端末保管庫１００まで来てもよい。
【００３８】
このようにして得られた本考案の実施例である移動式端末保管庫１００は、複数の端末を収納自在なケース本体１００Ａとキャスター１００Ｂとを備え、ケース本体１００Ａの外形が、直方体状に形成されて、ケース本体１００Ａが、ケース本体１００Ａの内部に設けられた端末載置部１１０と、側面部１２０と、天面部１３０と、開閉自在な第１扉部１５０と、開閉自在な第２扉部１６０とを備え、第１扉部１５０および第２扉部１６０が、閉じた状態において、互いに対向する位置関係に配置された構成であることにより、扉が一方側のみに設けられた構成と比べて、多数のユーザーがケース本体１００Ａの両側へ分かれて両側から多数の端末を短時間で効率よくケース本体１００Ａから取り出したり、ケース本体１００Ａへ収納したりすることができるとともに、扉が一方側のみに設けられた構成と比べて、ユーザーのウイルス感染拡大のリスクを低減することができる。
【００３９】
さらに、直方体状のケース本体１００Ａの角に軟性部材１７０が、取り付けられた構成であることにより、ユーザーが接触した場合であってもユーザーが怪我するリスクを回避することができる。
【００４０】
また、第１扉部１５０および第２扉部１６０が、ケース本体１００Ａに対して閉じた状態でフック状係合部材１５２を被係合部分の一例である凹部１２１と係合して閉じた状態を保持するロック機構１５１と、係合していないときのフック状係合部材１５２を覆うカバー部分１５３とを有していることにより、ユーザーがフック状係合部材１５２に触れて怪我してしまうリスクを回避することができ、端末や端末に接続する充電用ケーブルコードＣＢなどがフック状係合部材１５２と接触して傷ついてしまうリスクを回避することができる。
【００４１】
さらに、天面部１３０を形成する天面部材１３１と、側面部１２０を形成する中空の側面部材１２２とを備え、天面部材１３１と１つの側面部材１２２との接合において、側面部材１２２における第１接触面部分１２５が、天面部材１３１の第２接触面部分１３２と面接触するとともに係止部材の一例であるリベット１８０によって係止され、側面部材１２２における第３接触面部分１２６が、天面部材１３１の第４接触面部分１３３と面接触するとともに係止部材の一例であるリベット１８０によって係止され、高さ方向Ｈにおける位置関係において、第１接触面部分１２５および第２接触面部分１３２の位置が、第３接触面部分１２６および第４接触面部分１３３の位置より高く、第１接触面部分１２５が、中空の側面部材１２２の内側面部分１２３から延設されて形成され、第３接触面部分１２６が、中空の側面部材１２２の外側面部分１２４から延設されて形成されていることにより、ケース本体１００Ａが両面開きのために所謂、固定背面がなく歪みが生じやすい構造であっても天面部材１３１と１つの側面部材１２２との角の接合において剛性を高めてケース本体１００Ａの全体としての剛性を十分に高めることができ、天面部材１３１と１つの側面部材１２２との角の接合において剛性を高めてケース本体１００Ａの全体としての剛性を十分に高めることができ、ケース本体１００Ａの内部に充電用の設備を簡単に配置することができる。
【００４２】
また、端末載置部１１０が、高さ方向Ｈにおいて複数設けられ、側面部１２０の外側における最上位の端末載置部１１０より下側の位置に持ち運び用把手１９０が設けられていることにより、ケース本体１００Ａに対して歪みの原因となるように力が作用することを回避することができ、ケース本体１００Ａが転倒してしまうリスクを回避してケース本体１００Ａを安全に移動させることができ、キャスター１００Ｂに小さな段差を乗り越えさせることができ、キャスター１００Ｂが小さな段差に引っかかってケース本体１００Ａが転倒してしまうことを回避することができる。
【００４３】
さらに、端末載置部１１０が、第１扉部１５０と第２扉部１６０との対向方向および鉛直方向に延設された複数の仕切り板１１１を有し、仕切り板１１１が、仕切り板１１１の縁から中央側へ凹んで形成されて、端末と接続される電線コードである充電用ケーブルコードＣＢを挿通自在な凹み１１２を複数有していることにより、ケース本体１００Ａの内部で充電用ケーブルコードＣＢをきれいに整頓することができるなど、その効果は甚大である。
【符号の説明】
【００４４】
１００  ・・・  移動式端末保管庫
１００Ａ・・・  ケース本体
１００Ｂ・・・  キャスター
１１０  ・・・  端末載置部
１１１  ・・・  仕切り板
１１２  ・・・  凹み
１１３  ・・・  突部
１２０  ・・・  側面部
１２１  ・・・  凹部（被係合部分）
１２２  ・・・  側面部材
１２３  ・・・  内側面部分
１２４  ・・・  外側面部分
１２５  ・・・  第１接触面部分
１２６  ・・・  第３接触面部分
１３０  ・・・  天面部
１３１  ・・・  天面部材
１３２  ・・・  第２接触面部分
１３３  ・・・  第４接触面部分
１４０  ・・・  底面部
１５０  ・・・  第１扉部
１５１  ・・・  ロック機構
１５２  ・・・  フック状係合部材
１５３  ・・・  カバー部分
１６０  ・・・  第２扉部
１７０  ・・・  軟性部材
１８０  ・・・  リベット（係止部材）
１９０  ・・・  持ち運び用把手
ＴＢ    ・・・  タブレット端末（端末）
ＣＢ    ・・・  充電用ケーブルコード（電線コード）
ＢＧ    ・・・  持ち運び用バッグ
Ｈ      ・・・  高さ方向
【図１】
0003233787.tif 000003
【図２】
0003233787.tif 000004
【図３】
0003233787.tif 000005
【図４】
0003233787.tif 000006
【図５】
0003233787.tif 000007
【図６】
0003233787.tif 000008
【図７】
0003233787.tif 000009